(57)【要約】【課題】本発明は、無端ベルトの張力を調整することができる伝動装置を提供する。【解決手段】本発明に係る伝動装置は、固定板を含むブラケットと、前記固定板に固定される駆動モジュールと、前記固定板に係合される従動モジュールと、前記駆動モジュール及び前記従動モジュールを連接する無端ベルトと、前記従動モジュールに摺動自在に係合される押圧部材と、前記固定板に回転自在に固定され、且つ前記押圧部材を押圧する調整部材と、を備える。前記調整部材を緩めると、前記従動モジュールは、前記無端ベルトの張力によって前記固定板に対して第一方向に向かって移動し、調整部材を締めると、前記押圧部材は、前記従動モジュールを押圧し、前記従動モジュールは、前記押圧部材の押圧によって前記固定板に対して第一方向と相反する第二方向に向かって移動する。【選択図】図３
2014001851.tif 000002
【特許請求の範囲】
【請求項１】
固定板を含むブラケットと、
前記固定板に固定される駆動モジュールと、
前記固定板に係合される従動モジュールと、
前記駆動モジュール及び前記従動モジュールを連接する無端ベルトと、
前記従動モジュールに摺動自在に係合される押圧部材と、
前記固定板に回転自在に固定され、且つ前記押圧部材を押圧する調整部材と、を備える伝動装置において、
前記調整部材を緩めると、前記従動モジュールは、前記無端ベルトの張力によって前記固定板に対して第一方向に向かって移動し、調整部材を締めると、前記押圧部材は、前記従動モジュールを押圧し、前記従動モジュールは、前記押圧部材の押圧によって前記固定板に対して第一方向と相反する第二方向に向かって移動することを特徴とする伝動装置。
【請求項２】
前記従動モジュールは、従動輪及び前記固定板に摺動自在に固定されるベースを備え、前記ベースは、取付板及び挟持部を備え、前記挟持部は、挟持板及び該挟持板と前記取付板とを連接する連接板を備え、前記従動輪は、前記挟持板と前記取付板との間に回転自在に挟持されることを特徴とする請求項１に記載の伝動装置。
【請求項３】
前記取付板には、前記挟持部に連接される２つの支持ブロックが設けられ、２つの前記支持ブロックは、互いに平行に配置され且つ前記押圧部材を支持するための第一傾斜面をそれぞれ有し、前記押圧部材は、前記第一傾斜面に対応する第二傾斜面を有し、前記第二傾斜面は、前記第一傾斜面に押圧されることを特徴とする請求項２に記載の伝動装置。
【請求項４】
前記伝動装置は、係止部材をさらに備え、前記取付板には、細長いスライドスロットが設けられ、前記固定板には、係止孔及びネジ孔が設けられ、前記係止部材は、前記スライドスロットを介して前記係止孔内に係止され、前記押圧部材には貫通孔が設けられ、前記調整部材は、前記押圧部材を前記支持ブロックに押圧させるために、前記貫通孔及び前記スライドスロットを介して前記ネジ孔内に螺合されることを特徴とする請求項３に記載の伝動装置。
【請求項５】
前記固定板には、少なくとも１つのラッチスロットがさらに設けられ、前記ラッチスロットは、広幅部及び広幅部に連通される狭幅部を備え、前記取付板には、前記ラッチスロットに対応するラッチ部が形成され、前記ラッチ部は、前記ラッチスロットの広幅部に挿入した後、前記ベースをスライドさせることによって、前記ラッチスロットの狭幅部内に係合されることを特徴とする請求項２〜４のいずれか１項に記載の伝動装置。
【発明の詳細な説明】
【技術分野】
【０００１】
本発明は、伝動装置に関し、特にインクジェットプリンタのプリンタヘッドの伝動装置に関するものである。
【背景技術】
【０００２】
従来のインクジェットプリンタは、プリンタヘッド及びスライドバーを備える。プリンタヘッドは、スライドバーに摺動可能に取り付けられ、且つ伝動装置によってスライドバーに沿って移動する。該伝動装置は、無端ベルト、モーター、従動モジュール及びバネを備える。モーターは無端ベルトの一端に囲まれるように設置され、無端ベルトを駆動するために用いられる。従動モジュールは無端ベルトの他端に囲まれるように設置され、且つネジによってブラケットに摺動可能に固定される。バネはその一端がブラケットに固定され、他端が従動モジュールに連接され、無端ベルトの張力を調整するために用いられる。しかし、一般のバネは、製造過程において発生する製造誤差等によりその弾力に差がでる場合がある。これにより、無端ベルトに作用される張力が不十分である問題が発生する可能性があり、更には印刷品質にも影響を与える。
【発明の概要】
【発明が解決しようとする課題】
【０００３】
前記課題を解決するために、本発明は、無端ベルトの張力を調整することができる伝動装置を提供する。
【課題を解決するための手段】
【０００４】
本発明に係る伝動装置は、固定板を含むブラケットと、前記固定板に固定される駆動モジュールと、前記固定板に係合される従動モジュールと、前記駆動モジュール及び前記従動モジュールを連接する無端ベルトと、前記従動モジュールに摺動自在に係合される押圧部材と、前記固定板に回転自在に固定され、且つ前記押圧部材を押圧する調整部材と、を備える。前記調整部材を緩めると、前記従動モジュールは、前記無端ベルトの張力によって前記固定板に対して第一方向に向かって移動し、調整部材を締めると、前記押圧部材は、前記従動モジュールを押圧し、前記従動モジュールは、前記押圧部材の押圧によって前記固定板に対して第一方向と相反する第二方向に向かって移動する。
【発明の効果】
【０００５】
従来の技術と比べて、本発明の伝動装置においては、調整部材を緩める或いは締めることにより、押圧部材が従動モジュールに加える圧力を調整することが可能である。従って、無端ベルトの張力を容易に調整することができる。
【図面の簡単な説明】
【０００６】
【図１】本発明の実施形態に係る伝動装置の分解図である。
【図２】図１に示した伝動装置を別の視点から見た分解図である。
【図３】図１に示した伝動装置の無端ベルトが設置されていない状態の時の組立図である
【図４】図１に示した伝動装置の組立図である。
【発明を実施するための形態】
【０００７】
以下、図面を参照して、本発明の実施形態について説明する。
【０００８】
図１及び図２を参照すると、本発明の実施形態に係る伝動装置は、ブラケット１０、無端ベルト２０、駆動モジュール３０、従動モジュール４０、押圧部材５０及び調整部材６０を備える。本実施形態において、駆動モジュール３０はモーターである。
【０００９】
ブラケット１０は固定板１１を備える。該固定板１１には、４つのラッチスロット１１１、１つの係止孔１１３及び１つのネジ孔１１５が設けられている。４つのラッチスロット１１１は矩形の形状に配列されている。各ラッチスロット１１１は、広幅部１１１１及び広幅部１１１１に連通される狭幅部１１１３を備える。係止孔１１３及びネジ孔１１５は、隣接する２つのラッチスロット１１１の間に位置する。ネジ孔１１５の内部には、内ねじ山が設けられ、前記調整部材６０を螺合するために用いられる。
【００１０】
従動モジュール４０は、従動輪４１と、該従動輪４１に取り付けられるガスケット４３と、固定板１１に摺動自在に固定されるベース４７と、を備える。ベース４７は、細長い取付板４７１及び取付板４７１の一側から上方に向かって延伸した後、該取付板４７１に平行に位置する挟持部４７３を備える。取付板４７１には、細長いスライドスロット４７１１が設けられ、取付板４７１の両側の側辺には、固定板１１のラッチスロット１１１にそれぞれ対応し、且つ下方へ延伸する４つのラッチ部４７１３が形成されている。スライドスロット４７１１を固定板１１の係止孔１１３に位置合わせした後、ネジなどの係止部材７０を係止孔１１３の中に螺合させることによって、ベース４７を固定板１１に固定する。挟持部４７３は、取付板４７１から上方へ延伸する連接板４７３１及び該連接板４７３１の一端から取付板４７１に平行に延伸する挟持板４７３３を備える。また、取付板４７１には、連接板４７３１から取付板４７１に平行に延伸し、且つスライドスロット４７１１の両側に位置する２つの支持ブロック４７１５がさらに設置されている。２つの支持ブロック４７１５は、互いに平行に配置され且つ前記押圧部材５０を支持するための第一傾斜面４７１７をそれぞれ有する。本実施形態において、２つの第一傾斜面４７１７は、同一平面上に位置する。２つの支持ブロック４７１５の間には、スライドスロット４７１１と連通するスリット４７１８が形成されている。従動輪４１及びガスケット４３は、挟持板４７３３と取付板４７１との間に挟持される。
【００１１】
押圧部材５０には、その上表面及び下表面を貫通する貫通孔５１が設けられている。押圧部材５０の下表面には、２つの第一傾斜面４７１７に対応する第二傾斜面５３が形成されている。第二傾斜面５３には、下方へ延伸し、且つ貫通孔５１の両側において互いに対向するように配置された２つの限定ブロック５５が形成されている。
【００１２】
調整部材６０は、ヘッド部６１及びネジ部６３を備える。ヘッド部６１の直径は、ネジ部６３の直径より大きい。ネジ部６３の外周面には、ネジ孔１１５の内ねじ山に対応する外ねじ山が設けられている。本実施形態において、調整部材６０はネジボルトであっても良い。
【００１３】
図３及び図４を参照して、本願発明による伝動装置の組み立てについて説明する。伝動装置を組み立てる場合、先ず、従動輪４１及びガスケット４３をベース４７の挟持板４７３３と取付板４７１との間に回転可能に設置する。次に、ベース４７のラッチ部４７１３を固定板１１の４つのラッチスロット１１１の広幅部１１１１に挿入した後、ベース４７をスライドさせることによって、ラッチ部４７１３をラッチスロット１１１の狭幅部１１１３の中に押し込む。これにより、ベース４７は、固定板１１に摺動自在に係合される。次に、係止部材７０をベース４７のスライドスロット４７１１を介して係止孔１１３内に螺合させる。これにより、ベース４７は、係止部材７０によって固定板１１にロックされるため、固定板１１から脱落することを防止することができる。最後に、無端ベルト２０を駆動モジュール３０及び従動輪４１を囲んで設置する。
【００１４】
押圧部材５０を装着する際、押圧部材５０の２つの限定ブロック５５を、スリット４７１８に挿入する。この際、押圧部材５０の第二傾斜面５３は、ベース４７の第一傾斜面４７１７に摺動可能に当接される。次いで、調整部材６０のネジ部６３を押圧部材５０の貫通孔５１及びベース４７のスライドスロット４７１１を介して固定板１１のネジ孔１１５内に螺合させる。
【００１５】
伝動装置を使用する際は、調整部材６０を緩めることで、従動モジュール４０を、無端ベルト２０の張力によって第一方向に向かって移動させる。これにより、無端ベルト２０の張力を所定の値に調整することができる。
【００１６】
調整部材６０を締めると、従動モジュール４０は、押圧部材５０の押圧によって第一方向と相反する第二方向に向かって移動する。これにより、無端ベルト２０の張力を所定の値に再び調整することができる。
【符号の説明】
【００１７】
１０  ブラケット
１１  固定板
１１１  ラッチスロット
１１１１  広幅部
１１１３  狭幅部
１１３  係止孔
１１５  ネジ孔
２０  無端ベルト
３０  駆動モジュール
４０  従動モジュール
４１  従動輪
４３  ガスケット
４７  ベース
４７１  取付板
４７１１  スライドスロット
４７１３  ラッチ部
４７１５  支持ブロック
４７１７  第一傾斜面
４７１８  スリット
４７３  挟持部
４７３１  連接板
４７３３  挟持板
５０  押圧部材
５１  貫通孔
５３  第二傾斜面
５５  限定ブロック
６０  調整部材
６１  ヘッド部
６３  ネジ部
７０  係止部材
【図１】
2014001851.tif 000003
【図２】
2014001851.tif 000004
【図３】
2014001851.tif 000005
【図４】
2014001851.tif 000006